(57)【要約】【課題】  部品点数が少なく、施工が容易である開口部装置、および型材を提供する。【解決手段】  上枠、下枠２０、および左右の縦枠の四方枠からなり、少なくとも１つの枠は金属材と樹脂材１００とを備えてなり、金属材には樹脂材が取り付けられており、金属材には、長手方向両端近傍に切り込み部１５２、１５３が形成され、樹脂材には、切り込み部に対応する位置に切り欠き部１４０、１４１が形成され、切り込み部を切り欠き部にかしめることによって、樹脂材を金属材に固定する。【選択図】      図４
2005083053.tif 000002
【特許請求の範囲】
【請求項１】
上枠、下枠、および左右の縦枠の四方枠からなり、少なくとも１つの枠は金属材と樹脂材とを備えてなり、前記金属材には前記樹脂材が取り付けられており、
前記金属材には、長手方向両端近傍に切り込み部が形成され、
前記樹脂材には、前記切り込み部に対応する位置に切り欠き部が形成され、
前記切り込み部を前記切り欠き部にかしめることによって、前記樹脂材が前記金属材に固定されている
ことを特徴とする開口部装置。
【請求項２】
金属材と、樹脂材とが組み合わされた複合枠型材であって、
前記金属材には、長手方向両端近傍に切り込み部が形成され、
前記樹脂材には、前記切り込み部に対応する位置に切り欠き部が形成され、
前記切り込み部を前記切り欠き部にかしめることによって、前記樹脂材が前記金属材に固定されている
ことを特徴とする枠型材。
【発明の詳細な説明】
【技術分野】
【０００１】
本発明は、枠体に樹脂材を備えた開口部装置に関する。
【背景技術】
【０００２】
建物の躯体の開口部装置に取り付けられる上枠、下枠、および左右の縦枠からなる枠体にガラスパネル等が取り付けられた嵌め殺し窓や、枠体に障子を備えた窓において、近年、アルミサッシ等の金属枠からなる窓枠に対して、上枠、下枠および左右枠に沿って、押し縁や、断熱材を介したアタッチメント等のカバー材を取り付け、ガラス等のパネル面材の保持や、断熱効果の向上に供している。
【０００３】
これらの部材には、アルミ等の金属製部材を用いた場合よりも防露性が高まることから、樹脂材が多用されている。
【０００４】
このような樹脂材は、縦枠および横枠に沿って形成された長尺部材である場合、温度変化や経年変化によって縮みが生じる。さらに近年では、施工時の作業性のよさから嵌め込み式に部材を設けることが多く、嵌め込み式では容易に縮むことが可能となり、隙間ができ易くなっている。
【０００５】
この長尺方向の隙間を隠す手段として、特許文献１には、パネル体に対して縦枠方向に設けられた樹脂性の長尺押し縁に係合部を設けて縮みを規制する方法が開示されている。
【０００６】
図５に示すように、縦押し縁３０１の上下方向の途中位置に切り欠き部３０２、および３０３が設けられている。各切り欠き部３０２、および３０３は、ビス３０５ａ、および３０５ｂによってカバー材３０４の縦構内を貫通して縦アルミ枠３０９に固定された、金属製のブロック材３０６ａ、および３０６ｂに係合される。この係合によって、縦押し縁３０１の上端の切り欠き部３０２を形成している上部内縁３０２ａが、上端側のブロック材３０６ａの上端面３０７に係合され、下端の切り欠き部３０６ｂを形成している下部内縁３０３ａが、下端側のブロック材３０６ｂの下端面３０８に係合されるようになっており、縦押し縁３０１の経年変化による縮みを防止している。
【特許文献１】特開２００１−９０４４１号公報
【発明の開示】
【発明が解決しようとする課題】
【０００７】
しかし、ブロック材とアルミ枠は別体となっているためねじ止めする手間があった。また、ねじ孔等が予め加工されているので、現場における施工の自由度が限定されていた。
【０００８】
そこで、本発明は、部品点数が少なく、施工が容易である開口部装置、および型材を提供することを課題とする。
【課題を解決するための手段】
【０００９】
以下、本発明について説明する。なお、本発明の理解を容易にするために添付図面の参照符号を括弧書きにて付記するが、それにより本発明が図示の形態に限定されるものではない。
【００１０】
請求項１の発明は、上枠（１０）、下枠（２０）、および左右の縦枠（３０、４０）の四方枠（５０）からなり、少なくとも１つの枠は金属材と樹脂材（１００）とを備えてなり、金属材には樹脂材が取り付けられており、金属材には、長手方向両端近傍に切り込み部（１５２、１５３）が形成され、樹脂材には、切り込み部に対応する位置に切り欠き部（１４０、１４１）が形成され、切り込み部を切り欠き部にかしめることによって、樹脂材が金属材に固定されていることを特徴とする開口部装置（２００）を提供して前記課題を解決する。
【００１１】
本来、金属材と樹脂形材の複合枠においては、材質上安定している金属材にて、性能を確保する上での部品と形材等の当接部である水密、気密ラインをとる。金属材に先に加工を入れると構造上の限定が生じることがある。
【００１２】
請求項１の発明によれば、金属材を先に加工するということをしないので、構造上の限定を受けることなく、枠体を構成するいずれの枠材に対しても施工が可能である開口部装置を設けることができる。また、本複合枠の複合固定に使用する部品点数が少なく、切り込み部を切り欠き部にかしめるのみでよいため、簡便な施工が可能である開口部装置を設けることができる。さらに、施工現場で樹脂材の切り欠き部に合わせて金属材に切り込み部を入れることが可能であり、施工の自由度が増す。
【００１３】
請求項２の発明は、金属材（１０、２０、３０、４０）と、樹脂材（１００）とが組み合わされた複合枠型材であって、金属材には、長手方向両端近傍に切り込み部（１５２、１５３）が形成され、樹脂材には、切り込み部に対応する位置に切り欠き部（１４０、１４１）が形成され、切り込み部を切り欠き部にかしめることによって、樹脂材が前記金属材に固定されていることを特徴とする型材を提供する。
【００１４】
請求項２の発明によれば、金属材を先に加工するということをしないので、構造上の限定を受けることなく、枠体を構成するいずれの枠材に対しても施工が可能である。また、本複合枠の複合固定に使用する部品点数が少なく、切り込み部を切り欠き部にかしめるのみでよいため、簡便な施工が可能である型材を設けることができる。
【発明の効果】
【００１５】
以下に説明するように、請求項１の発明によれば、金属材を先に加工するということをしないので、構造上の限定を受けることなく、枠体を構成するいずれの枠材に対しても施工が可能である開口部装置を設けることができる。また、本複合枠の複合固定に使用する部品点数が少なく、切り込み部を切り欠き部にかしめるのみでよいため、簡便な施工が可能である開口部装置を設けることができる。さらに、施工現場で樹脂材の切り欠き部に合わせて金属材に切り込み部を入れることが可能であり、施工の自由度が増す。
【００１６】
また、請求項２の発明によれば、金属材を先に加工するということをしないので、構造上の限定を受けることなく、枠体を構成するいずれの枠材に対しても施工が可能である。また、本複合枠の複合固定に使用する部品点数が少なく、切り込み部を切り欠き部にかしめるのみでよいため、簡便な施工が可能である型材を設けることができる。
【００１７】
本発明のこのような作用及び利得は、次に説明する実施の形態から明らかにされる。
【発明を実施するための最良の形態】
【００１８】
以下本発明を図面に示す実施形態に基づき説明する。
【００１９】
図１は本発明に係る嵌め殺し窓２００を室内側から正面視したときの概略図である。図示の嵌め殺し窓２００は、建物（図示せず）の所定箇所に取り付けられる枠体５０と、枠体５０に嵌め入れられたガラスパネル６０とを備えている。
【００２０】
枠体５０は、上枠１０、下枠２０、および左右の枠３０、４０で構成されている。
【００２１】
ガラスパネル６０は、上押し縁６１と、左右の押し縁６２、および６３を備えており、さらに上押し縁６１と平行になるように下枠カバー１００が設けられている。この下枠カバー１００は、断熱性、意匠性に優れることから樹脂材によって形成されている。
【００２２】
図２には図１のII−II線に沿った縦断面図を示す。開口部装置２００は、室内側に配されたガラスパネル６０ａと、室外側に配されたガラスパネル６０ｂとで構成された複層ガラスを備え、ガラスパネル６０ａ、およびガラスパネル６０ｂとはスペーサー６６ａ、および６６ｂとを介して平行に配置されている。ガラスパネル６０ｂの室外側面の上下方向にはビード６７、および６８が圧接されて設けられている。ビード６７、および６８の室外側には切断面が略Ｔ字形状である嵌合部６７ａ、および６８ａが設けられており、それぞれに上下に設けられた溝６７ｂ、６７ｃ、および６８ｂ、６８ｃが形成されている。溝６７ｂ、６７ｃ、および６８ｂ、６８ｃには下記のとおり上枠１０、および下枠２０が嵌合される。
【００２３】
上枠１０の室外面１１の下端部先端には、室内側に略９０度折り曲げられ、さらに上方向に略９０度折り返された、返し部１２が形成されている。返し部１２からわずかに上方には、返し部１２と鏡面構造である返し部１３が設けられている。この返し部１２、および１３の先端は、嵌合部６７ａに設けられた溝６７ｂ、および６７ｃに嵌合されて抜け止めされている。また、返し部１２、および１３の室内側面１２ａ、および１３ａは、ビード６７の室外面に当接されて室内側に圧力をかけている。さらにビード６７によってガラスパネル６０ｂが室内方向に押圧されている。
【００２４】
同様に、下枠２０の室外側面１４の上端部先端には、返し部１２、および１３を反転させた形状である返し部１５、および１６が設けられている。返し部１５、および１６の先端は、上記ビード６８に形成された嵌合部６８ａの、溝６８ｂ、および６８ｃに嵌合されて抜け止めされている。また、返し部１５、および１６の室内側面１５ａ、および１６ａは、ビード６８の室外面に当接されて室内側に圧力をかけている。さらにビード６８によってガラスパネル６０ｂが室内方向に押されている。
【００２５】
ガラスパネル６０ｂと対をなすガラスパネル６０ａには、上下にビード６９、および７０が圧接されて設けられている。ビード６９の室内側には、中央部付近に切断面が略直角である切り欠き部６９ａが形成されており、切り欠き部６９ａには上押し縁６１の突出部６１ａが当接されている。突出部６１ａは、上押し縁６１の室内側面の下端部が室外側にわずかに突出して形成されており、先端部がビード６９の切り欠き部６９ａを押圧している。さらにビード６９によってガラスパネル６０ａが室外方向に押圧されている。同様にビード７０の室内側には中央部付近に、切断面が略直角である切り欠き部７０ａが形成されており、切り欠き部７０ａには下枠カバー１００に設けられた突出部１００ａが当接されている。この突出部１００ａがビード７０を室外方向に押している。さらにビード７０によってガラスパネル６０ａが室外方向に押されている。複層ガラスであるガラスパネル６０ａ、および６０ｂは、上枠１０、下枠２０、上押し縁６１、および下枠カバー１００に対向する圧力を加えられることによって枠体５０内部に設けられている。
【００２６】
一方、上押し縁６１の上方向には、室内側、および室外側に爪部６１ｂ、および６１ｃが形成されており、さらに室内側の角部先端には当接部６１ｄが形成されている。爪部６１ｂ、６１ｃ、および当接部６１ｄには、それぞれ、下記のとおり上枠カバー１７０が取り付けられるよう設けられている。
【００２７】
上枠カバー１７０には、室外側に、互いに先端部が向き合うように形成された挟持部１７１ａ、および１７１ｂが設けられ、爪部６１ｂ、および６１ｃが挟持されている。爪部６１ｂは、上端部が返し構造となっており、挟持部１７１ａの先端が抜け止めされている。また、上枠カバー１７０には、挟持部１７１ｂのわずかに下に当接面１７２を備えており、上押し縁６１に形成されている当接部６１ｄに当接されている。
【００２８】
上枠カバー１７０には上枠１０に取り付けられるための嵌合部が、下記のとおり設けられている。上枠カバー１７０の室外側先端には、さらに室外側に突出された第一嵌合部１７３が形成されており、枠体１０に設けられた溝１０ａに嵌合されている。溝１０ａに嵌合されることにより、下方向への移動を規制されている。
【００２９】
また、室内側突出面１７４の中央よりやや室外側からは、上方向に略９０度の角度で起立した第二嵌合部１７５が設けられている。第二嵌合部１７５の先端部には室内方向に返し部が形成されており、防露材１８０が設けられた面から形成されている突出部１０ｂに抜け止めされている。上記の例では複層ガラスを例として説明したが、単板ガラスにおいても適用可能である。
【００３０】
本嵌め殺し窓２００は、下枠カバー１００と、下枠２０に最大の特徴を有している。以下、本図２、および図３、図４を参照しつつ、その構造を詳述する。
【００３１】
図２における室内側に設けられている下枠カバー１００には、室外側下端部に設けられた係合部１１０と、係合部１１０と、下枠カバー１００の室内側先端部１２０との間にほぼ中間位置となるように設けられた返し部１３０が形成されている。また下枠２０には、下枠２０の中面２１から室内上方向に延設され、室外方向に折り返されるようにして設けられた係合部２２と、下枠２０の室内側面２３より、室内側上方に形成された突出部２４が設けられている（さらに詳しい構成については図３において説明する。）。
【００３２】
さらに下枠２０の最室内面には、防露材１８１を設けるため、下記のとおり嵌合部が設けられている。室内面２３の上部から、室内面２３に対して室内方向に垂直に突出され、先端部が下方に略９０度に折り曲げられて形成された第一嵌合部２７ａが設けられている。また、室内面２３の下端部は、室内面２３に対して垂直に室内方向に突出され、先端部が略９０度ずつ折り曲げられて上下方向に突出されている。上方向へ突出された形状によって、第二嵌合部２７ｂが形成されている。また、下方向に突出された側の先端部は、さらに略９０度に室外側に折り返されており、第三嵌合部２７ｃとなるよう形成されている。第一嵌合部２７ａ〜第三嵌合部２７ｃには、第一嵌合部２７ａ〜第三嵌合部２７ｃに嵌合可能に形成された防露材１８１が取り付けられ、上記上枠１０に備えられた防露材１８０と供に嵌め殺し窓２００の防露性を高めている。
【００３３】
図３は、図２の点線で囲んだ丸枠Ａの範囲を示す拡大図である。下枠カバー１００と下枠２０とは、室内方向に突設された突起片１０１が設けられ、室外側端部には略９０度に下方に折り曲げられた当接面１０２が形成されている。当接面１０２から室外方向に延設された設置面１０３において、当接面１０２からわずかに室外方向へ延設された位置から下方へ略９０度折り曲げられており、先端が室内方向に鉤状に形成された返し部１３０が設けられている。返し部１３０よりやや室外側には、設置面１０３からさらに延設された位置に下方へ９０度折り曲げられ、設置面１０３と平行に室外側方向に略９０度折り曲げられて延設されたスペース部材１０４が設けられている。スペース部材１０４は、下枠カバー１００の部材強度が保たれるよう形成されている。スペース部材１０４の室外側端部からわずかに室内側の位置からは下方に延設され、室外方向に突出するように折り曲げられた係合部１１０が形成されている。
【００３４】
下枠カバー１００と係合する下枠２０には、室外側面２１ａの上部付近から室外側に延設され、先端部が上方向に略９０度折り曲げられ、さらに先端部は室内方向に９０度折り曲げられて形成された係合部２２が設けられている。なお、係合部２２には、下記のとおり、下枠２０の両側端部に折り返し部（図４参照）が２箇所形成されている。この係合部２２には、下枠カバー１００に形成されている係合部１１０の先端が当接される。室外側面２１ａの上部は、室内方向に折り返されて形成された連結面２１ｂに延設されている。連結面２１ｂからは、先端が上方向に９０度折り曲げられて下枠カバー１００の当接面１０２に当接される位置まで延設された係合面２５が設けられている。係合面２５の先端部２６は上端が突起片１０１に当接され、また室外側側面を当接面１０２に当接されて挟持されており下枠カバー１００が室内、室外方向へガタつくのを規制している。係合面２５のほぼ中点の位置からは室外方向に形成された突出部２４が返し部１３０に抜け止めされるように設けられている。先端部２６と、突出部２４、および係合部２２とによって下枠カバー２４の高さ方向が固定されており、経年変化による高さ方向の縮みを規制している。
【００３５】
図４には下枠カバー１００、および下枠２０の、枠体への装着時における室外側側面図を示す。（ａ）には下枠カバー１００の長手方向を室外側からみた側面図を示す。係合部１１０は、長手方向に第一係合部１１０ａ、第二係合部１１０ｂ、および第三係合部１１０ｃの３つの部材に分けられて設けられている。第一係合部１１０ａは、右端より長手方向に短く設けられており、第一切り欠き部１４０によって第二係合部１１０ｂと分断されている。第二係合部１１０ｂは、長手方向に中央付近に長く設けられており、第二切り欠き部１４１によって第三係合部１１０ｃと分断されている。第三係合部１１０ｃは、第一係合部１１０ａと同長に設けられている。また、下枠カバー１００、および下枠２０とは長手方向の長さが同長となるよう形成されている。上記のとおり、第一係合部１１０ａ〜第三係合部１１０ｃは、室外側（紙面手前）に略９０度折り曲げられた突出部を備えた形状であり、係合部第一係合部１１０ａ〜第三係合部１１０ｃの間に形成されている第一切り欠き部１４０、および第二切り欠き部１４１は、突出部が形成されていない形状に設けられている。
【００３６】
（ｂ）には下枠２０の長手方向を室外側からみた側面図を示す。下枠２０の室外側面には排水弁取り付け孔１５１ａ、および１５１ｂが設けられており、室内側の結露を室外に排出されるよう構成されている。本図の上部に点線で示した部材は係合部２２の室外側側面であり、係合部２２は上記のとおり、この室外側側面の長手方向の上辺から室内側への突片が形成され、また下辺から室内側に面が延設され、先端が下枠２０本体に合流された下枠２０からの折り返し構造となるように設けられている。係合部２２には、右部、および左部に第一切り込み部１５２、および第二切り込み部１５３が形成されている。また、第一切り込み部１５２より左側には、折り込み部１５４が形成され、第二切り込み部１５３より右側には、折り込み部１５５が形成されている。
【００３７】
室外側にあって外観される下枠カバー１００には、熱収縮率が高い樹脂材が用いられており、経年変化や温度変化によって長手方向の縮みが生じる。よって下枠２０には、下枠カバー１００が縮みを規制されるように下記のとおり固定される。固定方法を図４（ａ）、および（ｂ）を参照しつつ説明する。
【００３８】
図４（ｂ）に示される下枠２０の係合部２２には、図４（ｂ）に示される下枠カバーの第一係合部１１０ａ〜第三係合部１１０ｃが係合される。この状態において、下枠２０に形成された折込み部１５４の先端部は、矢印方向へ折り曲げられる。折込み部１５４が折り込まれることにより、本図（ａ）に示された下枠カバー１００の第二係合部１１０ｂの右側面である第一嵌合面１６０に、折込み部１５４の先端部がかしめられる。同様に、折込み部１５５は、先端部が矢印方向へ折り曲げられる。折込み部１５５が折り込まれることにより、下枠カバー１００の第二係合部１１０ｂの左側面である第二嵌合面１６１に、折込み部１５５の先端部がかしめられる。この折込み部１５４、および折込み部１５５によって、下枠カバー１００の第二係合部１１０ｂで示される長手方向の大部分が下枠２０に固定された状態となり、縮もうとする力が作用しようとしても、第一嵌合面１６０、および第二嵌合面１６１に示されるように端部が固定されているため、長手方向への縮みが規制される。
【００３９】
なお、本図（ｂ）に図示されている折込み部１５４、および折込み部１５５は、第一嵌合面１６０、および第二嵌合面１６１をかしめた状態である。かしめる前の状態は、係合部２２のいずれの面も平面に設けられている。
【００４０】
折込み部１５４、および折込み部１５５の形成されている下枠２０は、金属材であるアルミ材で形成されている。下枠２０をはじめ、枠体５０はアルミ材等の金属材である場合が多く、複雑な加工には手間がかかる。下枠２０に形成された第一切り込み部１５２、および第二切り込み部１５３に示すように、本実施形態では、枠材の端部に切れ込みを入れるのみで良いため、加工を簡便に行うことができる。さらに、枠材に取り付けられる樹脂材においては、枠材に設けられた切れ込みの位置に対応するように切り欠きを設けるのみでよい。
【００４１】
さらに、枠材と樹脂材の最低必要部材のみでよく、加工においては枠材への切れ込みと、樹脂材への切り欠きを設けるのみの簡便な係合構造である。
【００４２】
簡便な係合構造として、例えば樹脂材の縮み防止手段として、他部材を枠材に取り付ける等の他部材との係りは不要となるよう部品点数が少なく構成されていることや、枠材と樹脂材とはねじ止め等の固定手段が不要であり、部品点数が少なく設けられている。また、施工する窓の大きさに合わせて、現場にて枠材と樹脂材を施工することが可能であるように構成されている。
【００４３】
従って、本発明においては下枠と下枠に取り付けられる下枠カバーを例として説明したが、立付けのことなる部材、例えば押し縁等においても同様に施工が可能である。また、縦枠、横枠のいずれかに限定されることなく適用することが可能である。
【００４４】
また、嵌め殺し窓を例として説明したが、嵌め殺し窓だけでなく、枠体、および枠体に取り付けられる樹脂材等の組合せで構成された開口部装置であれば、これに限定されるものではなく、縦滑り出し窓等においても適用可能である。
【００４５】
また、本実施例では金属材をアルミ材を例として説明したが、アルミ材のみに限定されるものではなく、他の金属性の材料であってもよい。
【００４６】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う開口部装置もまた本発明の技術的範囲に包含されるものとして理解されなければならない。
【図面の簡単な説明】
【００４７】
【図１】嵌め殺し窓の室内側を概略的に示す正面図である。
【図２】図１におけるII−II線に沿った縦断面図である。
【図３】図２における点線で囲んだ丸枠の範囲を示す拡大図である。
【図４】下枠カバー、および下枠を概略的に示す側面図である。（ａ)には下枠カバーの室外側側面図を、また（ｂ）には下枠の室外側側面図を示す。
【図５】従来例を示す図である。
【符号の説明】
【００４８】
１０  上枠
２０  下枠
２２  係合部
３０  左枠
４０  右枠
５０  枠体
１００  下枠カバー（樹脂材）
１１０ａ  第一係合部
１１０ｂ  第二係合部
１１０ｃ  第三係合部
１４０  第一切り欠き部
１４１  第二切り欠き部
１５２  第一切り込み部
１５３  第二切り込み部
１６０  第一嵌合面
１６１  第二嵌合面
２００  開口部装置
【図１】
2005083053.tif 000003
【図２】
2005083053.tif 000004
【図３】
2005083053.tif 000005
【図４】
2005083053.tif 000006
【図５】
2005083053.tif 000007